(57)【要約】【課題】  生産効率、輸送効率が高く、構造的にも過剰強度でない小建物ユニットを提供すること。【解決手段】  小建物ユニット２０であって、箱形ラーメンからなる標準建物ユニット１０を妻面の概ね半分位置で分割した、２本の柱２１と、両柱２１の下端部をつなぐ桁床梁２２Ａと、両柱２１の上端部をつなぐ桁天井梁２３Ａと、各柱２１の下端部に接合される妻床梁２２Ｂと、各柱２１の上端部に接合される妻天井梁２３Ｂとを有し、両妻床梁２２Ｂの先端部をつなぐつなぎ床梁２４と、両妻天井梁２３Ｂの先端部をつなぐつなぎ天井梁２５とを備えるもの。【選択図】  図１
2006077468.tif 000002
【特許請求の範囲】
【請求項１】
箱形ラーメンからなる標準建物ユニットを妻面の概ね半分位置で分割した、２本の柱と
、両柱の下端部をつなぐ桁床梁と、両柱の上端部をつなぐ桁天井梁と、各柱の下端部に接
合される妻床梁と、各柱の上端部に接合される妻天井梁とを有し、
両妻床梁の先端部をつなぐつなぎ床梁と、両妻天井梁の先端部をつなぐつなぎ天井梁と
を備える小建物ユニット。
【請求項２】
前記柱の下端部に桁床梁と妻床梁のそれぞれを剛接合し、該柱の上端部に桁天井梁と妻
天井梁のそれぞれを剛接合し、両妻床梁の先端部につなぎ床梁をピン接合し、両妻天井梁
の先端部につなぎ天井梁をピン接合した請求項１に記載の小建物ユニット。
【請求項３】
請求項１又は２に記載の小建物ユニットの妻床梁と妻天井梁の各先端部を、被接続建物
に接続してなる建物。
【請求項４】
前記小建物ユニットの妻床梁と妻天井梁の各先端部を、被接続建物にピン接合した請求
項３に記載の建物。
【請求項５】
請求項１又は２に記載の小建物ユニットの生産・輸送段階で、２個の小建物ユニットの
妻床梁同士と妻天井梁同士を仮接続する小建物ユニットの生産・輸送方法。
【発明の詳細な説明】
【技術分野】
【０００１】
本発明は小建物ユニット及び建物に関する。
【背景技術】
【０００２】
ユニット建物等の建物において、建物をもう少し延長したいとき、特許文献１に記載の
如く、小建物ユニットを追加している。
【０００３】
特許文献１の小建物ユニットは、柱と床梁と天井梁を箱形に接合した骨組構造体からな
る。
【特許文献１】特開平5-214772
【発明の開示】
【発明が解決しようとする課題】
【０００４】
特許文献１の小建物ユニットには以下の問題点がある。
(1)小建物ユニットでも、４本の柱、４本の床梁、４本の天井梁を有しており、生産効
率、輸送効率が低く、構造的にも過剰強度である。
【０００５】
(2)小建物ユニットの妻方向巾が90cm程度の狭巾ユニットは、生産ラインと保管輸送時
に転倒し易い。
【０００６】
本発明の課題は、生産効率、輸送効率が高く、構造的にも過剰強度でない小建物ユニッ
トを提供することにある。
【０００７】
本発明の他の課題は、生産ラインや保管輸送時に転倒しにくい小建物ユニットを提供す
ることにある。
【課題を解決するための手段】
【０００８】
請求項１の発明は、箱形ラーメンからなる標準建物ユニットを妻面の概ね半分位置で分
割した、２本の柱と、両柱の下端部をつなぐ桁床梁と、両柱の上端部をつなぐ桁天井梁と
、各柱の下端部に接合される妻床梁と、各柱の上端部に接合される妻天井梁とを有し、両
妻床梁の先端部をつなぐつなぎ床梁と、両妻天井梁の先端部をつなぐつなぎ天井梁とを備
える小建物ユニットである。
【０００９】
請求項２の発明は、請求項１の発明において更に、前記柱の下端部に桁床梁と妻床梁の
それぞれを剛接合し、該柱の上端部に桁天井梁と妻天井梁のそれぞれを剛接合し、両妻床
梁の先端部につなぎ床梁をピン接合し、両妻天井梁の先端部につなぎ天井梁をピン接合し
たものである。
【００１０】
請求項３の発明は、請求項１又は２に記載の小建物ユニットの妻床梁と妻天井梁の各先
端部を、被接続建物に接続してなる建物である。
【００１１】
請求項４の発明は、請求項３の発明において更に、前記小建物ユニットの妻床梁と妻天
井梁の各先端部を、被接続建物にピン接合したものである。
【００１２】
請求項５の発明は、請求項１又は２に記載の小建物ユニットの生産・輸送段階で、２個
の小建物ユニットの妻床梁同士と妻天井梁同士を仮接続する小建物ユニットの生産・輸送
方法である。
【発明の効果】
【００１３】
（請求項１）
(a)小建物ユニットは、標準建物ユニットの妻面を概ね半分に分割した、柱、桁床梁、
桁天井梁、妻床梁、妻天井梁を有して構成されるから、標準建物ユニットの柱と梁、生産
設備（生産ライン）、輸送設備（輸送車）を共用でき、生産効率、輸送効率を向上できる
。
【００１４】
(b)小建物ユニットは、柱を唯２本用いるものであり、被接続建物との接合面に柱を設
けないから、構造的にも過剰強度でない。
【００１５】
(c)小建物ユニットは、両妻床梁の先端部をつなぐつなぎ床梁と、両妻天井梁の先端部
をつなぐつなぎ天井梁とを備えるから、小建物ユニットにおける床、天井の形成が容易に
なるし、小建物ユニットの強度も確保できる。
【００１６】
上述(a)、(b)、(c)により、ユニット構法の高効率生産性、輸送性を損なうことなく、
建物を小延長できる。
【００１７】
（請求項２）
(d)小建物ユニットは、柱の下端部に桁床梁と妻床梁のそれぞれを剛接合し、該柱の上
端部に桁天井梁と妻天井梁のそれぞれを剛接合し、両妻床梁の先端部につなぎ床梁をピン
接合し、両妻天井梁の先端部につなぎ天井梁をピン接合して構成されるから、一定の構造
強度を簡易に構築できる。
【００１８】
（請求項３）
(e)被接続建物に小建物ユニットを接続して形成した建物延長部の桁方向に沿う水平力
の殆どを、小建物ユニットの２つの柱と桁床梁と桁天井梁が作る箱形ラーメンフレームで
負担する。
【００１９】
建物延長部の桁面に取付く重量の重い外壁開口を、上述の箱形ラーメンフレームで全て
負担する。
【００２０】
(f)建物延長部の妻方向に沿う水平力を、小建物ユニットの１本の柱と妻床梁と妻天井
梁が作る、２個のコ字形ラーメンフレームで負担する。小建物ユニットは、被接続建物の
水平力補強にも寄与する。
【００２１】
(g)建物延長部の外壁側半分の床、天井、屋根の鉛直荷重を箱形ラーメンフレームで負
担する。
【００２２】
建物延長部の被接続建物側の床、天井、屋根の鉛直荷重は、輸送時には、小建物ユニッ
トのつなぎ床梁とつなぎ天井梁で負担し、被接続建物との接続後には被接続建物の床梁及
び天井梁と分担する。
【００２３】
（請求項４）
(h)前述(f)において、小建物ユニットの妻床梁と妻天井梁のスパンが、標準建物ユニッ
トの妻面の中央の反曲点より短いから、小建物ユニットを被接続建物にピン接続しても、
標準建物ユニットと同等以上の水平強度を発現できる。
【００２４】
（請求項５）
(i)２個の小建物ユニットを仮接続して生産・輸送し、現地で分離して各小建物ユニッ
トを被接続建物に接続することで、生産・輸送の合理化を図り、生産ラインや保管輸送時
における小建物ユニットの転倒を防止できる。
【発明を実施するための最良の形態】
【００２５】
図１は標準建物ユニットと小建物ユニットを示す模式図、図２は小建物ユニットの仮接
続構造を示す模式図、図３は小建物ユニットの妻面での仮接続構造を示す側面図、図４は
妻床梁と接続ピースを示す模式図、図５は小建物ユニットの中間仮接続構造を示す側面図
、図６は妻床梁とつなぎ床梁を示す模式図、図７は標準建物ユニットと小建物ユニットの
接続例を示す模式図、図８は標準建物ユニットと小建物ユニットの接続構造を示す側面図
、図９は標準建物ユニットと小建物ユニットの水平強度を示す模式図、図１０は柱省略建
物ユニットと小建物ユニットの接続例を示す模式図である。
【実施例】
【００２６】
図１は標準建物ユニット１０と小建物ユニット２０を示す模式図である。
標準建物ユニット１０は、図１（Ａ）に示す如く、４本の柱１１と、２本の桁床梁１２
Ａと、２本の妻床梁１２Ｂと、２本の桁天井梁１３Ａと、２本の妻天井梁１３Ｂを剛接合
した箱形ラーメンである。
【００２７】
小建物ユニット２０は、標準建物ユニット１０を妻面の概ね半分位置（図１（Ａ）のＰ
）で分割した、図１（Ｂ）に示す如くの、２本の柱２１と、両柱２１の下端部をつなぐ桁
床梁２２Ａと、両柱２１の上端部をつなぐ桁天井梁２３Ａと、各柱２１の下端部に接合さ
れる妻床梁２２Ｂと、各柱２１の上端部に接合される妻天井梁２３Ｂとを有する。妻床梁
２２Ｂと妻天井梁２３Ｂの長さ（小建物ユニット１０の妻方向巾）は例えば概ね90cm程度
である。
【００２８】
小建物ユニット２０は、更に、図１（Ｃ）に示す如く、両妻床梁２２Ｂの先端部をつな
ぐつなぎ床梁２４と、両妻天井梁２３Ｂの先端部をつなぐつなぎ天井梁２５とを備える。
【００２９】
小建物ユニット２０は、柱２１の下端部に桁床梁２２Ａと妻床梁２２Ｂのそれぞれを剛
接合し、柱２１の上端部に桁天井梁２３Ａと妻天井梁２３Ｂのそれぞれを剛接合し、両妻
床梁２２Ｂの先端部につなぎ床梁２４をピン接合し、両妻天井梁２３Ｂの先端部につなぎ
天井梁２５をピン接合する。
【００３０】
これにより、小建物ユニット２０は、２本の柱２１と桁床梁２２Ａと桁天井梁２３Ａに
より、桁一面に、箱形ラーメンフレームを構成する。また、小建物ユニット２０は、１本
の柱２１と妻床梁２２Ｂと妻天井梁２３Ｂにより、妻２面に、コ字形ラーメンフレームを
構成する。
【００３１】
しかるに、小建物ユニット２０の生産・輸送手順は例えば以下の如くになされる（図２
）。
(1)妻フレーム組立（図３、図４）
柱２１の下端部にジョイントピース２２Ｃを介して妻床梁２２Ｂを剛接合し（スポット
又はアーク溶接）、柱２１の上端部にジョイントピース２２Ｃを介して妻天井梁２３Ｂを
剛接合する。
【００３２】
２個の小建物ユニット２０を構成する妻床梁２２Ｂ同士を仮接続ピース３１を介して、
ボルト・ナット３１Ａにより仮接続し、妻天井梁２３Ｂ同士を仮接続ピース３２を介して
、ボルト・ナット３２Ａにより仮接続する。
【００３３】
２個の小建物ユニット２０の妻方向巾の合計長が、生産設備や輸送設備の生産・輸送巾
Ａに適合するように、仮接続ピース３１、３２の巾Ｂで調整する。
【００３４】
(2)小組立（図５、図６）
１個の小建物ユニット２０を構成するために相対する２つの妻フレームの柱２１の下端
部を桁床梁２２Ａで剛接合するとともに、上端部を桁天井梁２３Ａで剛接合する。同時に
、２つの妻フレームの妻床梁２２Ｂの先端部をつなぎ床梁２４でピン接合するとともに、
妻天井梁２３Ｂの先端部をつなぎ天井梁２５でピン接合する。
【００３５】
本実施例では、１個の小建物ユニット２０を構成する桁床梁２２Ａとつなぎ床梁２４と
床小梁、床根太等からなる床フレーム４１と、１個の小建物ユニット２０を構成する桁天
井梁２３Ａとつなぎ天井梁２５と天井根太２６からなる天井フレーム４２（図５）を構成
する。そして、２個の小建物ユニット２０を構成する床フレーム４１同士を中間仮接続ピ
ース３３を介して仮接続するとともに、天井フレーム４２同士を中間仮接続ピース３３を
介して仮接続し（図５（Ａ））、床フレーム仮接続体と天井フレーム仮接続体を２つの妻
フレームの間に挿入し、２つの妻フレームの柱２１の下端部を床フレーム４１の桁床梁２
２Ａで剛接合するとともに、上端部を天井フレーム４２の桁天井梁２３Ａで剛接合する。
同時に、２つの妻フレームの妻床梁２２Ｂの先端部を床フレーム４１のつなぎ床梁２４で
ピン接合するとともに、妻天井梁２３Ｂの先端部を天井フレーム４２のつなぎ天井梁２５
でピン接合し、その後、中間仮接続ピース３３を取外し回収する。図４（Ｂ）は、妻床梁
２２Ｂの先端部のエンドプレート２７に、床フレーム４１のつなぎ床梁２４をボルト・ナ
ット２８でピン接合する状態を示す。図６は、妻天井梁２３Ｂの先端部のエンドプレート
２７に、天井フレーム４２のつなぎ天井梁２５をボルト・ナット２８でピン接合した状態
を示す。尚、中間仮接続ピース３３は、例えば相隣る天井フレーム４２のつなぎ天井梁２
５に挟まれて仮接続する（図５（Ａ））他、相隣る天井フレーム４２の桁天井梁２３Ａ、
つなぎ天井梁２５の上面に渡って、延在される仮接続梁（図５（Ｂ））にて構成されるも
のでも良い。
【００３６】
次に、小建物ユニット２０は建築現場で、被接続建物５０に以下の手順で接続される（
図７）。尚、被接続建物５０が標準建物ユニット１０であるものとする。
【００３７】
(1)輸送車上又は仮置場で、２個の小建物ユニット２０を仮接続している仮接続ピース
３１、３２を取外し回収する。
【００３８】
(2)小建物ユニット２０を吊上げ、基礎又は下階建物構造体の上に据付ける。
【００３９】
(3)小建物ユニット２０の妻床梁２２Ｂと妻天井梁２３Ｂの各先端部を、被接続建物５
０たる標準建物ユニット１０の柱１１の下端部と上端部に、ボルト・ナット５１でピン接
続する（図８）。このとき、小建物ユニット２０の妻床梁２２Ｂと妻天井梁２３Ｂのスパ
ンは、標準建物ユニット１０の妻面の中央の反曲点Ｒ（図９）より短いから、小建物ユニ
ット２０を被接続建物５０にピン接続しても、標準建物ユニット１０と同等以上の水平強
度を発現する。
【００４０】
図１０は小建物ユニット２０の他の適用例である。被接続建物６０になる２個の標準建
物ユニット１０の桁面を突き合せ、それらの桁面間に長尺梁６１を架け渡し、それらの桁
面にて相隣接する柱１１を省略し、それらの両妻面（一方の妻面だけでも可）に小建物ユ
ニット２０を沿い設け、小建物ユニット２０の妻床梁２２Ｂと妻天井梁２３Ｂの各先端部
を各標準建物ユニット１０の外端側の柱１１の下端部と上端部にピン接続したものである
。小建物ユニット２０と被接続建物６０により、柱省略した広い部屋空間を形成できる。
【００４１】
本実施例によれば以下の作用効果を奏する。
(a)小建物ユニット２０は、標準建物ユニット１０の妻面を概ね半分に分割した、柱２
１、桁床梁２２Ａ、桁天井梁２３Ａ、妻床梁２２Ｂ、妻天井梁２３Ｂを有して構成される
から、標準建物ユニット１０の柱１１と梁１２Ａ、１２Ｂ、１３Ａ、１３Ｂ、生産設備（
生産ライン）、輸送設備（輸送車）を共用でき、生産効率、輸送効率を向上できる。
【００４２】
(b)小建物ユニット２０は、柱２１を唯２本用いるものであり、被接続建物５０、６０
との接合面に柱２１を設けないから、構造的にも過剰強度でない。
【００４３】
(c)小建物ユニット２０は、両妻床梁２２Ｂの先端部をつなぐつなぎ床梁２４と、両妻
天井梁２３Ｂの先端部をつなぐつなぎ天井梁２５とを備えるから、小建物ユニット２０に
おける床、天井の形成が容易になるし、小建物ユニット２０の強度も確保できる。
【００４４】
上述(a)、(b)、(c)により、ユニット構法の高効率生産性、輸送性を損なうことなく、
建物を小延長できる。
【００４５】
(d)小建物ユニット２０は、柱２１の下端部に桁床梁２２Ａと妻床梁２２Ｂのそれぞれ
を剛接合し、該柱２１の上端部に桁天井梁２３Ａと妻天井梁２３Ｂのそれぞれを剛接合し
、両妻床梁２２Ｂの先端部につなぎ床梁２４をピン接合し、両妻天井梁２３Ｂの先端部に
つなぎ天井梁２５をピン接合して構成されるから、一定の構造強度を簡易に構築できる。
【００４６】
(e)被接続建物５０、６０に小建物ユニット２０を接続して形成した建物延長部の桁方
向に沿う水平力の殆どを、小建物ユニット２０の２つの柱２１と桁床梁２２Ａと桁天井梁
２３Ａが作る箱形ラーメンフレームで負担する。
【００４７】
建物延長部の桁面に取付く重量の重い外壁開口を、上述の箱形ラーメンフレームで全て
負担する。
【００４８】
(f)建物延長部の妻方向に沿う水平力を、小建物ユニット２０の１本の柱２１と妻床梁
２２Ｂと妻天井梁２３Ｂが作る、２個のコ字形ラーメンフレームで負担する。小建物ユニ
ット２０は、被接続建物５０、６０の水平力補強にも寄与する。
【００４９】
(g)建物延長部の外壁側半分の床、天井、屋根の鉛直荷重を箱形ラーメンフレームで負
担する。
【００５０】
建物延長部の被接続建物５０、６０側の床、天井、屋根の鉛直荷重は、輸送時には、小
建物ユニット２０のつなぎ床梁２４とつなぎ天井梁２５で負担し、被接続建物５０、６０
との接続後には被接続建物５０、６０の床梁１２Ａ、１２Ｂ及び天井梁１３Ａ、１３Ｂと
分担する。
【００５１】
(h)前述(f)において、小建物ユニット２０の妻床梁２２Ｂと妻天井梁２３Ｂのスパンが
、標準建物ユニット１０の妻面の中央の反曲点より短いから、小建物ユニット２０を被接
続建物にピン接続しても、標準建物ユニット１０と同等以上の水平強度を発現できる。
【００５２】
(i)２個の小建物ユニット２０を仮接続して生産・輸送し、現地で分離して各小建物ユ
ニット２０を被接続建物５０、６０に接続することで、生産・輸送の合理化を図り、生産
ラインや保管輸送時における小建物ユニット２０の転倒を防止できる。
【００５３】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００５４】
【図１】図１は標準建物ユニットと小建物ユニットを示す模式図である。
【図２】図２は小建物ユニットの仮接続構造を示す模式図である。
【図３】図３は小建物ユニットの妻面での仮接続構造を示す側面図である。
【図４】図４は妻床梁と接続ピースを示す模式図である。
【図５】図５は小建物ユニットの中間仮接続構造を示す側面図である。
【図６】図６は妻床梁とつなぎ床梁を示す模式図である
【図７】図７は標準建物ユニットと小建物ユニットの接続例を示す模式図である。
【図８】図８は標準建物ユニットと小建物ユニットの接続構造を示す側面図である
【図９】図９は標準建物ユニットと小建物ユニットの水平強度を示す模式図である
【図１０】図１０は柱省略建物ユニットと小建物ユニットの接続例を示す模式図である。
【符号の説明】
【００５５】
１０  標準ユニット建物
２０  小建物ユニット
２１  柱
２２Ａ  桁床梁
２２Ｂ  妻床梁
２３Ａ  桁天井梁
２３Ｂ  妻天井梁
２４  つなぎ床梁
２５  つなぎ天井梁
３１、３２、３３  仮接続ピース
５０、６０  被接続建物
【図１】
2006077468.tif 000003
【図２】
2006077468.tif 000004
【図３】
2006077468.tif 000005
【図４】
2006077468.tif 000006
【図５】
2006077468.tif 000007
【図６】
2006077468.tif 000008
【図７】
2006077468.tif 000009
【図８】
2006077468.tif 000010
【図９】
2006077468.tif 000011
【図１０】
2006077468.tif 000012